(57)【要約】      （修正有）【課題】電気プラグの面積が増大しても端子を確実に保護することができる光トランシーバを提供する。【解決手段】ホストシステムに挿抜される光トランシーバ１０であって、光トランシーバ１０は、ホストシステムに挿抜される方向に延びた形状を有するハウジング１１と、ハウジング１１のホストシステムに挿入される方向の一端に設けられ、ハウジング１１がホストシステムに挿入されたときにホストシステムと電気的に接続される電気プラグ１５と、ハウジング１１の一端に設けられ、ハウジング１１がホストシステムから抜去されているときに電気プラグ１５の少なくとも一部を外部から遮蔽し、ハウジング１１がホストシステムに挿入されたときにハウジング１１に対してハウジング１１がホストシステムに挿入される方向と反対の抜去方向Ｄ２に移動するカバー２０と、を備える。【選択図】図３
2019071221.tif 000002
【特許請求の範囲】
【請求項１】
電子機器に挿抜される光トランシーバであって、
前記電子機器に挿抜される方向に延びた形状を有するハウジングと、
前記ハウジングの前記電子機器に挿入される方向の一端に設けられ、前記ハウジングが前記電子機器に挿入されたときに前記電子機器と電気的に接続される電気プラグと、
前記ハウジングの前記一端に設けられ、前記ハウジングが前記電子機器から抜去されているときに前記電気プラグの少なくとも一部を外部から遮蔽し、前記ハウジングが前記電子機器に挿入されたときに前記ハウジングに対して前記ハウジングが前記電子機器に挿入される方向と反対の抜去方向に移動するカバーと、
を備える光トランシーバ。
【請求項２】
前記ハウジングは、前記ハウジングの前記一端において前記抜去方向に延びる溝を有し、
前記カバーは、前記電気プラグの前記少なくとも一部を前記外部から遮蔽する被覆部と、前記被覆部に対して前記抜去方向に延びると共に前記溝に沿ってスライド可能な板状のカバータブと、を有し、
前記カバータブは、前記カバーが前記ハウジングに対して前記抜去方向に所定の強さ以上の力で押されたときに、前記ハウジングに対して前記抜去方向に相対移動する、
請求項１に記載の光トランシーバ。
【請求項３】
前記ハウジングは、前記溝に、前記カバータブが当接する突起を有し、
前記カバータブは、前記カバーが前記ハウジングに対して前記抜去方向に前記所定の強さ以上の力で押されたときに、前記突起を乗り越えて前記抜去方向に相対移動し、
前記突起の前記カバータブが乗り越える高さは、前記所定の強さに応じて前記カバータブの板厚より小さい値に設定されている、
請求項２に記載の光トランシーバ。
【請求項４】
前記ハウジングが前記電子機器に搭載されたケージに挿入された状態から抜去されるときに、前記カバーは、前記カバータブが前記ケージに設けられたケージタブに押さえられることにより、前記ハウジングに対して前記挿入方向に相対移動して前記電気プラグの前記少なくとも一部を遮蔽する、
請求項２又は３に記載の光トランシーバ。
【請求項５】
前記カバーは、前記カバーの前記ハウジングが前記電子機器に挿入される方向の端部から前記抜去方向に延びる凹部を有する、
請求項２〜４のいずれか一項に記載の光トランシーバ。
【請求項６】
前記カバーは、端部に、前記電気プラグに向かうに従って前記抜去方向側に傾斜するテーパ部を有する、
請求項２〜５のいずれか一項に記載の光トランシーバ。
【発明の詳細な説明】
【技術分野】
【０００１】
本発明は、光トランシーバに関するものである。
【背景技術】
【０００２】
特許文献１には、ＭＳＡ（Multi-Source Agreement）規格に定められるＳＦＰ（Small Form factor Pluggable）タイプの光トランシーバが記載されている。この光トランシーバは、光電気変換素子として発光素子及び受光素子が組み込まれた光モジュール部と、光モジュール部の後端側に固定された接続部品と、接続部品を介して光モジュール部に接続された回路基板と、光モジュール部、接続部品及び回路基板を収納する断面長方形状の外ケースと、外ケースの後端部に固定されて回路基板を支持する基板支持部材と、を備えている。外ケースの一部と基板支持部材は、マザーボードのケージコネクタに差し込まれる差し込み部とされている。回路基板は後端側にカードエッジコネクタ部を有し、カードエッジコネクタ部は基板支持部材から光トランシーバの後端側に突出している。差し込み部がケージコネクタに差し込まれると、回路基板の後端に位置するカードエッジコネクタ部がケージコネクタの内部の端子と電気導通可能に接続される。この接続により、回路基板に形成されている回路を介して、発光素子と受光素子とがマザーボード側の電気回路と電気的に接続される。
【先行技術文献】
【特許文献】
【０００３】
【特許文献１】特開２００２−３５３４７１号公報
【発明の概要】
【発明が解決しようとする課題】
【０００４】
光トランシーバにおいては、特に近年、機能の向上に伴い、内部の集積度が高く且つ扱う信号の数が増えている。このため、前述したカードエッジコネクタ部等の電気プラグでは端子の数が増加している。一方、光トランシーバの各部品では小型化が進行している。このため、電気プラグの端子を光トランシーバの幅方向及び長手方向に沿って二次元的に配置する端子の二次元配列が提案されている。電気プラグにおける端子の二次元配列では、端子の配列を効率よく行うことは可能であるが、端子の配列の占める面積が増大する。電気プラグの端子は、相対するケージコネクタの端子と電気的接続を得るために金属膜等によって接点が形成されている。電気プラグの面積が大きくなるほど、光トランシーバを指等で触るときに、誤って電気プラグの端子に触れる可能性が高くなる。電気プラグの端子に指等が触れられると、静電気によって光トランシーバが損傷したり、端子に皮脂が付着して接続不良が生じたりする懸念がある。更に、落下時等に電気プラグの端子に直接衝撃が加わる可能性もある。よって、電気プラグの端子の面積が増大しても端子を確実に保護することが求められる。
【０００５】
本発明は、電気プラグの面積が増大しても端子を確実に保護することができる光トランシーバを提供することを目的とする。
【課題を解決するための手段】
【０００６】
前述した問題を解決するため、本発明の一側面に係る光トランシーバは、電子機器に挿抜される光トランシーバであって、電子機器に挿抜される方向に延びた形状を有するハウジングと、ハウジングの電子機器に挿入される方向の一端に設けられ、ハウジングが電子機器に挿入されたときに電子機器と電気的に接続される電気プラグと、ハウジングの一端に設けられ、ハウジングが電子機器から抜去されているときに電気プラグの少なくとも一部を外部から遮蔽し、ハウジングが電子機器に挿入されたときにハウジングに対してハウジングが電子機器に挿入される方向と反対の抜去方向に移動するカバーと、を備える。
【発明の効果】
【０００７】
本発明によれば、電気プラグの面積が増大しても端子を確実に保護することができる。
【図面の簡単な説明】
【０００８】
【図１】図１は、本発明の一実施形態に係る光トランシーバを示す斜視図である。
【図２】図２は、図１の光トランシーバを図１とは異なる方向から見た斜視図である。
【図３】図３は、図１の光トランシーバを示す底面図である。
【図４】図４は、カバーがハウジングに対して移動した光トランシーバを示す底面図である。
【図５】図５は、図３の光トランシーバの電気プラグ及びカバーを示す側面図である。
【図６】図６は、図４の光トランシーバの電気プラグ及びカバーを示す側面図である。
【図７】図７は、カバーを拡大して示す斜視図である。
【図８】図８は、図７のカバーを示す正面図である。
【図９】図９は、図７のカバーを示す平面図である。
【図１０】図１０は、図７のカバーのカバータブとハウジングとの接触部分を拡大した斜視図である。
【図１１】図１１は、図１０のハウジングの溝及び突起を示す斜視図である。
【図１２】図１２は、図１の光トランシーバをケージに挿入する手順を示す側面図である。
【図１３】図１３は、図１２の手順の続きを示す光トランシーバ及びケージの側面図である。
【図１４】図１４は、図１３の手順の続きを示す光トランシーバ及びケージの側面図である。
【図１５】図１５は、図１４のケージへの挿入が完了した光トランシ―バを示す側面図である。
【図１６】図１６は、図１５のケージのケージタブ、ハウジング及びスライダを示す部分断面斜視図である。
【図１７】図１７は、ケージから図１の光トランシーバを引き抜く手順を示す側面図である。
【図１８】図１８は、図１７の手順の続きを示す光トランシーバ及びケージの側面図である。
【図１９】図１９は、図１８の手順の続きを示す光トランシーバ及びケージの側面図である。
【図２０】図２０は、ケージのケージタブ、カバータブ及びハウジングを示す部分断面斜視図である。
【図２１】図２１は、図２０の手順の続きを示す光トランシーバ及びケージの側面図である。
【図２２】図２２は、図２１の手順の続きを示す光トランシーバ及びケージの側面図である。
【発明を実施するための形態】
【０００９】
［本願発明の実施形態の説明］
最初に、本願発明の実施形態の内容を列記して説明する。本願発明の一実施形態に係る光トランシーバは、電子機器に挿抜される光トランシーバであって、電子機器に挿抜される方向に延びた形状を有するハウジングと、ハウジングの電子機器に挿入される方向の一端に設けられ、ハウジングが電子機器に挿入されたときに電子機器と電気的に接続される電気プラグと、ハウジングの一端に設けられ、ハウジングが電子機器から抜去されているときに電気プラグの少なくとも一部を外部から遮蔽し、ハウジングが電子機器に挿入されたときにハウジングに対してハウジングが電子機器に挿入される方向と反対の抜去方向に移動するカバーと、を備える。
【００１０】
この光トランシーバでは、電子機器に挿抜されるハウジングの一端に電気プラグを備え、ハウジングが電子機器に挿入されたときに電気プラグが電子機器と電気的通信を行う。光トランシーバは電気プラグを覆うカバーを備えており、カバーはハウジングが電子機器に挿入されていないときに電気プラグを覆う。よって、ハウジングが電子機器に挿入されていない状態において、カバーが電気プラグを覆うことにより、電気プラグを保護することができる。従って、光トランシーバが指等で触られても、カバーが電気プラグを覆うことにより、指等が電気プラグの端子に触れることを抑制することができる。その結果、電気プラグの端子の面積が増大しても電気プラグの端子を確実に保護することができる。また、カバーは、ハウジングが電子機器に挿入されたときには、ハウジングに対して移動して電気プラグを露出させる。従って、ハウジングを挿入するときにカバーが移動して電気プラグを露出させることにより、電気プラグがホストシステムと電気的通信を行うときにカバーが邪魔にならないようにすることができる。
【００１１】
また、ハウジングは、ハウジングの一端において抜去方向に延びる溝を有し、カバーは、電気プラグの少なくとも一部を外部から遮蔽する被覆部と、被覆部に対して抜去方向に延びると共に溝に沿ってスライド可能な板状のカバータブと、を有し、カバータブは、カバーがハウジングに対して抜去方向に所定の強さ以上の力で押されたときに、ハウジングに対して抜去方向に相対移動してもよい。この場合、ハウジングが抜去方向に延びる溝を有し、カバーが溝に沿ってスライドするカバータブを有し、ハウジングが電子機器に挿入されたときに、カバータブはハウジングに対して抜去方向に移動する。このとき、カバータブは溝に沿ってスライドして抜去方向に相対移動するため、ハウジングに対するカバーの移動を安定させることできる。従って、カバーを備えた光トランシーバの電子機器に対する挿抜をスムーズに行うことができる。また、ハウジングが一定以上の力で押されなければカバータブは移動しないので、誤ってカバータブが移動して意図せずカバーが電気プラグを露出させる事態を抑制することができる。
【００１２】
また、ハウジングは、溝に、カバータブが当接する突起を有し、カバータブは、カバーがハウジングに対して抜去方向に所定の強さ以上の力で押されたときに、突起を乗り越えて抜去方向に相対移動し、突起のカバータブが乗り越える高さは、所定の強さに応じてカバータブの板厚より小さい値に設定されていてもよい。この場合、ハウジングが一定以上の力で押されたときに、カバータブが突起を乗り越えて抜去方向に相対移動することにより、カバーが移動して電気プラグを露出させる。また、当該突起の高さは所定の強さに応じてカバータブの板厚より小さい値に設定されている。従って、適度な力でハウジングが押されたときにカバータブに突起を乗り越えさせることができるので、カバーの移動の制御を適切に行うことができる。
【００１３】
また、ハウジングが電子機器に搭載されたケージに挿入された状態から抜去されるときに、カバーは、カバータブがケージに設けられたケージタブに押さえられることにより、ハウジングに対して挿入方向に相対移動して電気プラグの少なくとも一部を遮蔽してもよい。この場合、ハウジングをケージから引き抜くときに、カバータブにケージタブが当接することによってカバーは電気プラグを覆う位置に戻る。よって、ハウジングを引き抜くときにケージタブを用いて自動的にカバーを元の位置に戻すことができるため、ハウジングを引き抜いた後における電気プラグの保護を効率よく且つ確実に行うことができる。
【００１４】
また、カバーは、カバーのハウジングが電子機器に挿入される方向の端部から抜去方向に延びる凹部を有してもよい。この場合、カバーが抜去方向に延びる凹部を有することにより、電子機器へのハウジングの挿入時に、ケージに対するカバーの引っ掛かりを抑えることができる。従って、電子機器に対する光トランシーバの挿抜をスムーズに行うことができる。
【００１５】
また、カバーは、端部に、電気プラグに向かうに従って抜去方向側に傾斜するテーパ部を有してもよい。この場合、電気プラグに向かうに従って抜去方向側に傾斜するテーパ部により、光トランシーバの挿入時におけるケージへの引っ掛かりを抑えることができる。従って、光トランシーバの挿抜を一層スムーズに行うことができる。
【００１６】
［本願発明の実施形態の詳細］
本願発明の実施形態に係る光トランシーバの具体例を、以下で図面を参照しながら説明する。なお、本発明は、以降の例示に限定されるものではなく、特許請求の範囲によって示され、特許請求の範囲と均等の範囲内における全ての変更が含まれることが意図される。以下の説明では、図面の説明において、同一又は相当する要素には同一の符号を付し、重複する説明を適宜省略する。
【００１７】
図１は、本発明の本実施形態に係る光トランシーバ１０を示す斜視図である。図２は、光トランシーバ１０を図１の反対側から見た斜視図である。光トランシーバ１０は、例えばＳＦＰ規格に準拠した光トランシーバであり、全二重双方向光通信を行う。光トランシーバ１０は、ホストシステム（電子機器）１のケージ２（図１２参照）に挿抜されて使用される。光トランシーバ１０は、所謂プラガブルトランシーバであり、具体的には、ホストシステム（電子機器）１の電源を遮断することなく活性化することが可能な形態を有するホットプラガブルトランシーバである。
【００１８】
図１及び図２に示されるように、光トランシーバ１０は、ケージ２に挿抜される金属製のハウジング１１と、ハウジング１１に対してスライド可能に設けられた一対のスライダ１２と、ハウジング１１の一端に位置する光レセプタクル１３と、ハウジング１１から延び出すプルタブ１４とを備える。ハウジング１１は、ケージ２に対する光トランシーバ１０の挿入方向Ｄ１に沿って延びる形状を呈する。ハウジング１１には、光サブアセンブリ及び電子回路等が収容される。光アセンブリは、例えばＴＯＳＡ(Transmitter Optical Sub-Assembly)及びＲＯＳＡ（Receiver Optical Sub-Assembly）である。ハウジング１１は、スライダ１２が組み付けられる下ハウジング１１ａと、スライダ１２を挟んで下ハウジング１１ａの反対側に位置する上ハウジング１１ｂとを備える。スライダ１２は、ハウジング１１の両脇それぞれに設けられている。スライダ１２は、ホストシステム１のケージ２に光トランシーバ１０を係合させ、また、当該係合状態を解除する解除機構として機能する。光トランシーバ１０がケージ２に係合された状態では、例えばハウジング１１を直に把持して引き抜こうとしても容易に引き抜くことができない。後述するように、プルタブ１４を持って引き抜くことによって当該係合状態が解除され、光トランシーバ１０を引き抜くことができるようになる。
【００１９】
光レセプタクル１３はハウジング１１の挿入方向Ｄ１と反対の抜去方向Ｄ２の端部に設けられている。光レセプタクル１３には、２本の光ファイバケーブルＣ１，Ｃ２の先端に設けられた光コネクタＣ３，Ｃ４が挿抜される。光ファイバケーブルＣ１は光トランシーバ１０からの光信号の送信用として用いられる送信光ファイバケーブルであり、光ファイバケーブルＣ２は光トランシーバ１０への光信号の受信用として用いられる受信光ファイバケーブルである。２本の光ファイバケーブルＣ１，Ｃ２が光コネクタＣ３，Ｃ４によって光レセプタクル１３に差し込まれることにより、ハウジング１１の内部の電子回路と光ファイバケーブルＣ１，Ｃ２とが通信可能となる。光コネクタＣ３，Ｃ４及び光レセプタクル１３は、例えば、共にＬＣ型光コネクタに準拠する形状を有する。図１〜図４において、光ファイバケーブルＣ１、Ｃ２は、実際にはそれぞれ抜去方向Ｄ２へ延びているが、その状態の図示は省略している。
【００２０】
プルタブ１４は、樹脂製であり、可撓性を有する材料によって構成されている。プルタブ１４は、ハウジング１１の抜去方向Ｄ２の端部から延び出す一対のアーム１４ａと、一対のアーム１４ａの先端同士を接続する接続部１４ｂとを有する。アーム１４ａは、スライダ１２と連動する部位であり、ハウジング１１から抜去方向Ｄ２に延び出している。アーム１４ａを抜去方向Ｄ２に引くとスライダ１２が抜去方向Ｄ２に移動し、スライダ１２の抜去方向Ｄ２への移動に伴ってケージ２と光トランシーバ１０の係合状態が解除される。このとき、上述したように、アーム１４ａを把持して抜去方向Ｄ２に引っ張ることによって係合状態が解除される。
【００２１】
図３は、ケージ２に挿入されていない光トランシーバ１０の底面図である。図４は、ケージ２に挿入された光トランシーバ１０の底面図である。図３及び図４に示されるように、ハウジング１１の挿入方向Ｄ１の端部には、電気プラグ１５が設けられる。電気プラグ１５は、ハウジング１１がケージ２に挿入された状態においてホストシステム（電子機器）１より動作に必要な電力の供給を受け、ホストシステム（電子機器）１内の電子回路と電気的通信を行う。電気プラグ１５は、光トランシーバ１０がホストシステム（電子機器）１と電気的に通信するための電気的インタフェイスを構成している。電気プラグ１５は複数の端子１５ａを有しており、複数の端子１５ａは電源用電極、接地電極、及び信号電極を含んでいる。端子１５ａは、挿入方向Ｄ１に沿って複数配置されると共に、光トランシーバ１０の幅方向Ｄ３に沿って複数配置されている。幅方向Ｄ３は、挿入方向Ｄ１及び抜去方向Ｄ２と直交する。すなわち、端子１５ａは挿入方向Ｄ１（または抜去方向Ｄ２）及び幅方向Ｄ３に沿って一平面上にて二次元的に配置されており、端子１５ａの二次元配列が構成されている。光トランシーバ１０がケージ２に完全に挿入されると、電気プラグ１５は、ケージ２の奥に設けられたホストコネクタ（電気コネクタ）５（図１２参照）と嵌合する。電気プラグ１５がホストコネクタ５と嵌合した状態にて、電気プラグ１５の端子とホストコネクタ５の端子が電気的に接続され、光トランシーバ１０とホストシステム（電子機器）１が通信可能となる。
【００２２】
光トランシーバ１０は、更に、電気プラグ１５を覆うカバー２０を備える。カバー２０は、ハウジング１１に対して移動する可動式のカバーである。ここで、「電気プラグを覆う」とは、電気プラグの少なくとも一部を外部から遮蔽することを示しており、電気プラグの全部を覆う場合、及び電気プラグの一部を覆う場合の両方を含んでいる。なお、電気プラグの一部を覆う場合は、電気プラグの当該一部を除く残余の部分を露出させている場合と同じ状態を意味する。また、電気プラグを覆うとは、上述したように、電気プラグの端子を保護するために当該端子を覆うことが重要であり、電気プラグの端子以外（例えば端子の周辺部）の部分を覆うことを含まなくてもよい。カバー２０は、ハウジング１１に対して挿入方向Ｄ１及び抜去方向Ｄ２にスライド可能とされている。
【００２３】
カバー２０は、ハウジング１１がケージ２に挿入されていないときには、挿入方向Ｄ１側に位置して電気プラグ１５を覆う。一方、カバー２０は、ハウジング１１がケージ２に挿入されたときには、抜去方向Ｄ２に移動して電気プラグ１５を露出させる。なお、電気プラグ１５は、挿入方向Ｄ１側の一部に、カバー２０によって覆われない領域１５ｂを有してもよい。領域１５ｂの挿入方向Ｄ１の長さＬ６は、例えば、２ｍｍ以上且つ３ｍｍ以下である。このようにカバー２０によって覆われない領域１５ｂを有することにより、光トランシーバ１０の挿抜（挿入および抜去）時におけるカバー２０の引っ掛かりをより確実に抑制できる。引っ掛かりを抑制することでケージ２やカバー２０等の変形による故障を防ぎ、ホストシステム（電子機器）１の信頼性を向上することができる。但し、電気プラグ１５は領域１５ｂを有しなくてもよい。すなわち、カバー２０は、電気プラグ１５の全部を覆ってもよいし、電気プラグ１５を覆ったときに電気プラグ１５の挿入方向Ｄ１側に若干突出してもよい。
【００２４】
図５は、ケージ２に挿入されていない光トランシーバ１０の側面を示す図である。図６は、ケージ２に挿入された光トランシーバ１０の側面を示す図である。図５及び図６に示されるように、ハウジング１１は、ハウジング１１のケージ２側（挿入方向Ｄ１側）の端部１１ｃから抜去方向Ｄ２に延びる溝１１ｄと、溝１１ｄの挿入方向Ｄ１側に位置する上下一対の第１ストッパ部１１ｅと、上側の第１ストッパ部１１ｅから挿入方向Ｄ１に延びるスライド部１１ｆと、スライド部１１ｆの挿入方向Ｄ１側に位置する第２ストッパ部１１ｇと、を有する。
【００２５】
溝１１ｄは、光トランシーバ１０の高さ方向Ｄ４の中央付近に設けられており、第１ストッパ部１１ｅからスライダ１２に向かって直線状に延びている。高さ方向Ｄ４は、幅方向Ｄ３及び挿入方向Ｄ１（または抜去方向Ｄ２）のそれぞれに直交する。溝１１ｄには、段差部１１ｈが設けられており、段差部１１ｈの挿入方向Ｄ１側に位置する溝１１ｄは、段差部１１ｈの抜去方向Ｄ２側に位置する溝１１ｄよりも深い。段差部１１ｈには挿入方向Ｄ１に突出する板状の突起１１ｊが形成されている。突起１１ｊについては後に詳述する。
【００２６】
第１ストッパ部１１ｅは、光トランシーバ１０が挿入方向Ｄ１に向かってケージ２に押し込まれるときに抜去方向Ｄ２に相対移動したカバー２０が当接する部位である。第１ストッパ部１１ｅは、高さ方向Ｄ４に対して傾斜しており、溝１１ｄから離れるに従って挿入方向Ｄ１側に傾斜している。例えば、第１ストッパ部１１ｅの挿入方向Ｄ１に対する傾斜角は鋭角となっている。スライド部１１ｆは、カバー２０が挿入方向Ｄ１及び抜去方向Ｄ２にスライド可能な領域である。すなわち、カバー２０はスライド部１１ｆに沿って挿入方向Ｄ１及び抜去方向Ｄ２にスライドする。第２ストッパ部１１ｇは、スライド部１１ｆの挿入方向Ｄ１側の端部に設けられ、スライド部１１ｆに対して下方に突出する部位である。ハウジング１１が第１ストッパ部１１ｅ及び第２ストッパ部１１ｇを有することにより、カバー２０はスライド部１１ｆの長さの範囲内において移動する。すなわち、第１ストッパ部１１ｅは、カバー２０が抜去方向Ｄ２に必要以上に移動することを制限し、第２ストッパ部１１ｇは、カバー２０が挿入方向Ｄ１に必要以上に移動することを制限する。溝１１ｄ、第１ストッパ部１１ｅ、スライド部１１ｆ及び第２ストッパ部１１ｇは、ハウジング１１において幅方向Ｄ３に一対に設けられている。
【００２７】
図７は、カバー２０を示す斜視図である。図８は、カバー２０を挿入方向Ｄ１側から見た正面図である。図９は、カバー２０を高さ方向Ｄ４から見た平面図である。図７〜図９に示されるように、カバー２０は、例えば、金属板の切断加工及び折り曲げ加工によって形成される板金製の部品である。カバー２０は、電気プラグ１５を覆う被覆部２１と、被覆部２１の幅方向Ｄ３の両端それぞれにおいて被覆部２１から立ち上がる側板部２２と、側板部２２から抜去方向Ｄ２に延びるカバータブ２３と、を備える。
【００２８】
被覆部２１は、平板状とされており、下側（上ハウジング１１ｂの反対側）から電気プラグ１５を覆う部位である。被覆部２１と側板部２２が成す角度は、例えば９０°であるが、９０°以下であってもよい。この場合、ハウジング１１に対するカバー２０の接触圧を高めることができる。各側板部２２は、ハウジング１１に対してカバー２０が抜去方向Ｄ２に相対移動したときに第１ストッパ部１１ｅに当接する当接部２２ａを有する。当接部２２ａは、第１ストッパ部１１ｅと同様、高さ方向Ｄ４に対して傾斜しており、カバータブ２３から離れるに従って挿入方向Ｄ１側に傾斜している。例えば、当接部２２ａの挿入方向Ｄ１に対する傾斜角は、第１ストッパ部１１ｅの挿入方向Ｄ１に対する傾斜角と同じになっている。このため、当接部２２ａは、第１ストッパ部１１ｅに面的に接触可能である。また、側板部２２は、高さ方向Ｄ４の一端（上端）にカバー２０の内側に入り込む折り曲げ部２２ｂを有する。折り曲げ部２２ｂは、ハウジング１１のスライド部１１ｆに入り込み、ハウジング１１に対して挿入方向Ｄ１及び抜去方向Ｄ２にスライドする部位である。
【００２９】
側板部２２は、挿入方向Ｄ１側の端部から抜去方向Ｄ２に延びる凹部２２ｃと、挿入方向Ｄ１の端部から高さ方向Ｄ４中央側に向かうに従って抜去方向Ｄ２側に傾斜するテーパ部２２ｄと、を有する。凹部２２ｃは、テーパ部２２ｄから抜去方向Ｄ２に延びる第１辺２２ｅと、第１辺２２ｅの抜去方向Ｄ２側の端部から高さ方向Ｄ４に延びる第２辺２２ｆと、第２辺２２ｆの第１辺２２ｅとの反対側の端部から被覆部２１に沿って延びる第３辺２２ｇと、によって形成される。
【００３０】
第１辺２２ｅ、第２辺２２ｆ及び第３辺２２ｇによって形成される形状は、矩形状とされており、凹部２２ｃは矩形スロットとされている。第３辺２２ｇは、カバー２０の内側に折り曲げられる折り曲げ部２２ｈを有する。第２辺２２ｆは、カバー２０の幅方向Ｄ３の内側に向かって傾斜する傾斜面２２ｊを有する。テーパ部２２ｄは、挿入方向Ｄ１、抜去方向Ｄ２及び高さ方向Ｄ４に対して傾斜する端面であり、上端に向かうに従って挿入方向Ｄ１側に傾斜している。
【００３１】
カバータブ２３は、各当接部２２ａの抜去方向Ｄ２側の端部から更に抜去方向Ｄ２に延び出している。カバータブ２３は、被覆部２１に対して抜去方向Ｄ２に延びると共にハウジング１１の溝１１ｄに沿ってスライドする。カバータブ２３は、板状とされている。カバータブ２３は、側板部２２から抜去方向Ｄ２に延び出す基端部２３ａと、基端部２３ａの抜去方向Ｄ２の端部からカバー２０の幅方向Ｄ３の内側に曲げられた先端部２３ｂとを有する。基端部２３ａは側板部２２に連続しており、先端部２３ｂは高さ方向Ｄ４に延びる折り曲げ線２３ｃを介して基端部２３ａに連続している。カバータブ２３は幅方向Ｄ３に一対に設けられており、一対に設けられる先端部２３ｂの先端同士の幅Ｂはハウジング１１の幅（幅方向Ｄ３の長さ）よりも狭くなっている。これにより一対のカバータブ２３が幅方向Ｄ３の両側から弾性力によってハウジング１１を挟み込み、カバータブ２３は弾性摩擦力を有する状態で溝１１ｄに沿って摺動する。
【００３２】
例えば、カバー２０の挿入方向Ｄ１の長さＬ１は１６ｍｍであり、折り曲げ部２２ｂの挿入方向Ｄ１の長さＬ２は１２ｍｍであり、カバータブ２３の挿入方向Ｄ１の長さＬ３は４．０ｍｍである。また、凹部２２ｃの挿入方向Ｄ１の長さＬ４は６．７ｍｍであり、被覆部２１から折り曲げ部２２ｂまでのカバー２０の高さＬ５は７．０ｍｍである。
【００３３】
図１０は、カバータブ２３、溝１１ｄ及び突起１１ｊを示す斜視図である。図１１は、溝１１ｄ及び突起１１ｊを拡大した斜視図である。カバータブ２３の先端部２３ｂは、ハウジング１１がケージ２に挿入されていないときには溝１１ｄの突起１１ｊに当接し、ハウジング１１がケージ２に挿入されたときに突起１１ｊを乗り越えてハウジング１１に対して抜去方向Ｄ２に相対移動する。カバータブ２３は、ハウジング１１が挿入方向Ｄ１側に一定以上の力で押されない限り突起１１ｊを乗り越えないので、カバー２０の抜去方向Ｄ２への移動を規制して、カバー２０が電気プラグ１５を覆った状態を維持することができる。すなわち、突起１１ｊは、ハウジング１１が一定未満の力で押されてもカバー２０の抜去方向Ｄ２への移動をロックすることにより、カバー２０が電気プラグ１５を覆った状態を維持するロック機構である。よって、不注意等によって意図せずハウジング１１に力が加えられても、当該ロック機構によってカバー２０の抜去方向Ｄ２への移動を規制することができる。
【００３４】
突起１１ｊは、溝１１ｄの段差部１１ｈにおいて挿入方向Ｄ１に山状に突出しており、カバータブ２３は突起１１ｊに点接触する。また、溝１１ｄは、段差部１１ｈの挿入方向Ｄ１側に、幅方向Ｄ３の内側に傾斜するテーパ面１１ｋと、テーパ面１１ｋから段差部１１ｈに向かって延びる底面１１ｍとを有し、突起１１ｊは底面１１ｍに形成されている。突起１１ｊの高さＡ１（幅方向Ｄ３の厚さ）は、例えば、カバータブ２３の板厚Ａ２の半分である。ここで「半分」とは、例えば半分から若干ずれた場合を含んでおり、略半分、及び実質半分である場合を含んでいる。また、突起１１ｊの高さＡ１は、カバータブ２３の板厚Ａ２の２５％以上且つ７５％以下であってもよい。このように、突起１１ｊの高さＡ１、及びカバータブ２３の板厚Ａ２が調整されることにより、カバータブ２３が突起１１ｊを乗り越えて突起１１ｊのロック機構を解除するときに必要な力を適宜変更することが可能である。あるいは、カバータブ２３が突起１１ｊを乗り越えて突起１１ｊのロック機構を解除するときの力に応じて、突起１１ｊの高さＡ１をカバータブ２３の板厚Ａ２に対して設定してもよい。
【００３５】
次に、ホストシステム（電子機器）１のケージ２に対して光トランシーバ１０を挿抜するときにおける光トランシーバ１０の各部の動作について図１２〜図２２を参照しながら説明する。図１２に示されるように、ケージ２は、光トランシーバ１０が入り込む内部空間Ｓを有する。ケージ２は、内部空間Ｓへの入り口である開口３と、ハウジング１１を係合するケージタブ４と、電気プラグ１５が嵌合するホストコネクタ（電気コネクタ）５とを備える。ケージタブ４は、上下一対の板状部４ａを有する。２つの板状部４ａのうちの一方は内部空間Ｓ側（内側）に傾斜しており、２つの板状部４ａのうちの他方は内部空間Ｓの反対側（外側）に傾斜している（図１６参照）。ホストコネクタ５には、内部空間Ｓに挿入された光トランシーバ１０の電気プラグ１５が係合する。ホストコネクタ５への電気プラグ１５の係合により、光トランシーバ１０とホストシステム１との電気的通信が実現される。
【００３６】
まず、ケージ２に光トランシーバ１０を挿入するときの各部の動作について説明する。図１２に示されるように、ケージ２の開口３から内部空間Ｓに光トランシーバ１０を挿入方向Ｄ１に挿入し、光トランシーバ１０の電気プラグ１５をホストコネクタ５に対向させる。電気プラグ１５がホストコネクタ５に係合する前において、カバータブ２３は突起１１ｊに当接しているため、カバー２０はロックされており電気プラグ１５を覆った状態とされている。また、カバー２０の折り曲げ部２２ｂの端部が第２ストッパ部１１ｇに当接している。
【００３７】
次に、図１３に示されるように、光トランシーバ１０を挿入方向Ｄ１に押し込むと、ホストコネクタ５に電気プラグ１５が係合する。このとき、カバー２０の凹部２２ｃの第２辺２２ｆ（傾斜面２２ｊ）がホストコネクタ５に当接すると共に、電気プラグ１５がホストコネクタ５に嵌合する。光トランシーバ１０を挿入方向Ｄ１に一定以上の力で押し込むと、図１４に示されるように、カバータブ２３が突起１１ｊを抜去方向Ｄ２に乗り越えてカバー２０が抜去方向Ｄ２に相対移動する。このとき、折り曲げ部２２ｂの端部が第２ストッパ部１１ｇから離間して抜去方向Ｄ２にスライドし、カバー２０が抜去方向Ｄ２に移動することにより、カバー２０から電気プラグ１５が露出し始める。
【００３８】
更に、光トランシーバ１０を挿入方向Ｄ１に押し込むと、図１５及び図１６に示されるように、カバー２０が更に抜去方向Ｄ２に相対移動して当接部２２ａが第１ストッパ部１１ｅに当接する。そして、スライダ１２の挿入方向Ｄ１側において、ハウジング１１の幅方向Ｄ３に突出する突出部１１ｎがケージタブ４の板状部４ａの挿入方向Ｄ１側に引っ掛かることにより、ケージ２への光トランシーバ１０の係合が実現される。
【００３９】
続いて、ケージ２から光トランシーバ１０を引き抜くときの各部の動作について図１７〜図２２を参照しながら説明する。まず、図１７に示されるように、光トランシーバ１０を抜去方向Ｄ２に引くと、ケージ２への光トランシーバ１０の係合が解除されると共に、ホストコネクタ５から電気プラグ１５が引き抜かれる。このとき、光トランシーバ１０の引き抜きは、アーム１４ａを把持して引っ張って行う。それによりスライダ１２が抜去方向Ｄ２に移動して係合状態を解除する。そして、光トランシーバ１０の引き抜きを継続すると、図１８及び図１９に示されるように、カバータブ２３がケージタブ４の板状部４ａに押さえられることにより、ハウジング１１に対してカバー２０が挿入方向Ｄ１に相対移動する。このとき、第１ストッパ部１１ｅから当接部２２ａが離間して折り曲げ部２２ｂが挿入方向Ｄ１にスライドし、カバー２０が徐々に電気プラグ１５を覆っていく。
【００４０】
その後、図２０及び図２１に示されるように、カバータブ２３が挿入方向Ｄ１に相対移動してカバータブ２３が段差部１１ｈに達すると、板状部４ａにより、カバータブ２３は段差部１１ｈの挿入方向Ｄ１側に入り込む。そして、折り曲げ部２２ｂの端部が第２ストッパ部１１ｇに当接すると共にカバー２０が電気プラグ１５を覆った状態となり、カバー２０の位置が初期状態に戻される。更に光トランシーバ１０を抜去方向Ｄ２に引くと、図２２に示されるように、ハウジング１１と共にカバー２０が抜去方向Ｄ２に移動し、開口３からハウジング１１が抜け出ることにより、ケージ２からの光トランシーバ１０の引き抜きが完了する。
【００４１】
以上のように構成された光トランシーバ１０から得られる作用効果について説明する。光トランシーバ１０では、ホストシステム１のケージ２に挿入されたハウジング１１のケージ２側の端部に電気プラグ１５を備え、ハウジング１１がケージ２に挿入されたときに電気プラグ１５がホストシステム１と電気的通信を行う。光トランシーバ１０は電気プラグ１５を覆うカバー２０を備えており、カバー２０はハウジング１１がケージ２に挿入されていないときに電気プラグ１５を覆う。よって、ハウジング１１がケージ２に挿入されていない状態において、カバー２０が電気プラグ１５を覆うことにより、電気プラグ１５を保護することができる。
【００４２】
従って、光トランシーバ１０が指等で触られても、カバー２０が電気プラグ１５を覆うことにより、指等が電気プラグ１５の端子１５ａに触れることを抑制することができる。その結果、電気プラグ１５の端子１５ａの面積が増大しても電気プラグ１５の端子１５ａを確実に保護することができる。また、カバー２０は、ハウジング１１がケージ２に挿入されたときには、ハウジング１１に対して移動して電気プラグ１５を露出させる。従って、ハウジング１１を挿入するときにカバー２０が移動して電気プラグ１５を露出させることにより、電気プラグ１５がホストシステム１と電気的通信を行うときにカバー２０が邪魔にならないようにすることができる。
【００４３】
また、ハウジング１１は、ハウジング１１のケージ２側の端部１１ｃにおいて抜去方向Ｄ２に延びる溝１１ｄを有し、カバー２０は、電気プラグ１５を覆う被覆部２１と、被覆部２１に対して抜去方向Ｄ２に延びると共に溝１１ｄに沿ってスライドする板状のカバータブ２３と、を有し、カバータブ２３は、ハウジング１１が挿入方向Ｄ１に一定以上の力で押されたときに、ハウジング１１に対して抜去方向Ｄ２に相対移動する。
【００４４】
すなわち、ハウジング１１が抜去方向Ｄ２に延びる溝１１ｄを有し、カバー２０が溝１１ｄに沿ってスライドするカバータブ２３を有し、ハウジング１１がケージ２に挿入されたときに、カバータブ２３はハウジング１１に対して抜去方向Ｄ２に移動する。このとき、カバータブ２３は溝１１ｄに沿ってスライドして抜去方向Ｄ２に相対移動するため、ハウジング１１に対するカバー２０の移動を安定させることができる。従って、カバー２０を備えた光トランシーバ１０のケージ２に対する挿抜をスムーズに行うことができる。また、ハウジング１１が一定以上の力で押されなければカバータブ２３は移動しないので、誤ってカバータブ２３が移動して意図せずカバー２０が電気プラグ１５を露出させる事態を抑制することができる。
【００４５】
また、ハウジング１１は、溝１１ｄに、カバータブ２３が当接する突起１１ｊを有し、カバータブ２３は、ハウジング１１が挿入方向Ｄ１に一定以上の力で押されたときに、突起１１ｊを乗り越えて抜去方向Ｄ２に相対移動し、突起１１ｊの高さＡ１は、カバータブ２３の板厚Ａ２の半分である。従って、適度な力でハウジング１１が押されたときにカバータブ２３に突起１１ｊを乗り越えさせることができるので、カバー２０の移動の制御を適切に行うことができる。
【００４６】
また、プルタブ１４を把持してハウジング１１を抜去方向Ｄ２に引いたときに、カバー２０は、カバータブ２３がケージ２に設けられたケージタブ４に押さえられることにより、ハウジング１１に対して挿入方向Ｄ１に相対移動して電気プラグ１５を覆う位置に移動する。すなわち、ハウジング１１をケージ２から引き抜くときに、カバータブ２３にケージタブ４が当接することによってカバー２０は電気プラグ１５を覆う位置に戻る。よって、ハウジング１１を引き抜くときにケージタブ４を用いて自動的にカバー２０を元の位置に戻すことができるため、ハウジング１１を引き抜いた後における電気プラグ１５の保護を効率よく且つ確実に行うことができる。
【００４７】
また、カバー２０は、カバータブ２３のケージ２側においてケージ２側の端部から抜去方向Ｄ２に延びる凹部２２ｃを有する。よって、カバー２０が抜去方向Ｄ２に延びる凹部２２ｃを有することにより、ケージ２へのハウジング１１の挿入時に、ケージ２に対するカバー２０の引っ掛かりを抑えることができる。従って、ケージ２に対する光トランシーバ１０の挿抜をスムーズに行うことができる。
【００４８】
また、カバー２０は、ケージ２側の端部に、電気プラグ１５に向かうに従って抜去方向Ｄ２側に傾斜するテーパ部２２ｄを有する。よって、電気プラグ１５に向かうに従って抜去方向Ｄ２に傾斜するテーパ部２２ｄにより、ケージ２に対するカバー２０の引っ掛かりを抑えることができる。従って、光トランシーバ１０の挿抜を一層スムーズに行うことができる。
【００４９】
以上、本発明に係る光トランシーバの実施形態について説明したが、本発明は前述した実施形態に限定されない。すなわち、本発明が特許請求の範囲に記載された要旨の範囲内において種々の変形及び変更が可能であることは、当業者によって容易に認識される。例えば、前述の実施形態では、ハウジング１１が突起１１ｊを有する光トランシーバ１０について説明した。しかしながら、突起１１ｊを省略することも可能であり、更に、ハウジング及び光トランシーバの各部の構成を上記の要旨の範囲内において適宜変更することも可能である。
【００５０】
例えば、前述の実施形態では、長さＬ１が１６ｍｍ、長さＬ２が１２ｍｍ、長さＬ３が４．０ｍｍ、長さＬ４が６．７ｍｍであり、高さＬ５が７．０ｍｍであるカバー２０について説明した。しかしながら、長さＬ１，Ｌ２，Ｌ３，Ｌ４及び高さＬ５の値は、上記の値に限られず適宜変更可能である。例えばそれらの値は、電気プラグ１５の形状や面積等に応じて適宜変更されてもよい。また、前述の実施形態では、幅方向Ｄ３の内側に向かって傾斜する傾斜面２２ｊを有するカバー２０について説明した。この傾斜面２２ｊを有することにより、光トランシーバ１０の挿抜時におけるカバー２０の引っ掛かりを抑制することが可能である。但し、傾斜面２２ｊを適宜省略することも可能である。また、例えば、被覆部２１の挿入方向Ｄ１側の端部がカバー２０の内側に折り曲げられていてもよく、この場合、カバー２０の内部への指等のアクセスを更に確実に抑制できる。このように、本発明に係るカバーの形状、大きさ、材料及び配置態様は、前述した要旨の範囲内において適宜変更可能である。
【符号の説明】
【００５１】
１…ホストシステム（電子機器）、２…ケージ、３…開口、４…ケージタブ、４ａ…板状部、５…ホストコネクタ、１０…光トランシーバ、１１…ハウジング、１１ａ…下ハウジング、１１ｂ…上ハウジング、１１ｃ…端部、１１ｄ…溝、１１ｅ…第１ストッパ部、１１ｆ…スライド部、１１ｇ…第２ストッパ部、１１ｈ…段差部、１１ｊ…突起、１１ｋ…テーパ面、１１ｍ…底面、１１ｎ…突出部、１２…スライダ、１３…光レセプタクル、１４…プルタブ、１４ａ…アーム、１４ｂ…接続部、１５…電気プラグ、１５ａ…端子、１５ｂ…領域、２０…カバー、２１…被覆部、２２…側板部、２２ａ…当接部、２２ｂ…折り曲げ部、２２ｃ…凹部、２２ｄ…テーパ部、２２ｅ…第１辺、２２ｆ…第２辺、２２ｇ…第３辺、２２ｈ…折り曲げ部、２２ｊ…傾斜面、２３…カバータブ、２３ａ…基端部、２３ｂ…先端部、２３ｃ…折り曲げ線、Ａ１…高さ、Ａ２…板厚、Ｂ…幅、Ｃ１，Ｃ２…光ファイバケーブル、Ｃ３，Ｃ４…光コネクタ、Ｄ１…挿入方向、Ｄ２…抜去方向、Ｄ３…幅方向、Ｄ４…高さ方向、Ｌ１，Ｌ２，Ｌ３，Ｌ４，Ｌ６…長さ、Ｌ５…高さ、Ｓ…内部空間。
【図１】
2019071221.tif 000003
【図２】
2019071221.tif 000004
【図３】
2019071221.tif 000005
【図４】
2019071221.tif 000006
【図５】
2019071221.tif 000007
【図６】
2019071221.tif 000008
【図７】
2019071221.tif 000009
【図８】
2019071221.tif 000010
【図９】
2019071221.tif 000011
【図１０】
2019071221.tif 000012
【図１１】
2019071221.tif 000013
【図１２】
2019071221.tif 000014
【図１３】
2019071221.tif 000015
【図１４】
2019071221.tif 000016
【図１５】
2019071221.tif 000017
【図１６】
2019071221.tif 000018
【図１７】
2019071221.tif 000019
【図１８】
2019071221.tif 000020
【図１９】
2019071221.tif 000021
【図２０】
2019071221.tif 000022
【図２１】
2019071221.tif 000023
【図２２】
2019071221.tif 000024